(57)【特許請求の範囲】
【請求項１】
平面形状が矩形で上端が開口し内容物を受ける段ボール製底箱と、
平面形状が矩形で下端が開口し前記底箱に被さって前記底箱を内包可能な段ボール製上箱とからなり、
前記底箱は、２組の対向側板と、この対向側板の下端に連設される底板形成用フラップと、前記２組の対向側板のうち少なくとも１組の対向側板の上端に連設された舌片とを備え、
前記上箱は、前記底箱の２組の対向側板の外面に重なる２組の対向側板と、この２組の対向側板の上端に連設される上蓋形成用フラップとを備え、前記舌片は前記底箱が前記上箱に内包された状態で前記対向側板から突出する長さであり、突出部分は折り曲げられ、１組の対向側板の上端に連設され先に折り曲げられる上蓋形成用フラップと、他の組の対向側板の上端に連設され後から折り曲げられる上蓋形成用フラップとの間で前記底箱の舌片を挟むように構成されて前記底箱は前記先に折り曲げられる上蓋形成用フラップで前記上箱に吊り下げられ、前記後から折り曲げられる上蓋形成用フラップの突き合わせ部を封緘手段で閉じるようにしたことを特徴とする包装体。
【請求項２】
後から折り曲げられる上蓋形成用フラップには、舌片が先に折り曲げられる上蓋形成用フ
ラップと後から折り曲げられる上蓋形成用フラップとの間に挟み込まれていることを確認
するための開口窓が形成されていることを特徴とする請求項１に記載の包装体。
【請求項３】
舌片を備える対向側板において、舌片を含む範囲で板部を切除するためのカット線が形成
されていることを特徴とする請求項１または２に記載の包装体。
【発明の詳細な説明】
【技術分野】
【０００１】
本発明は、内容物を収納した状態でディスプレイすることができる包装体に関する。
【背景技術】
【０００２】
内容物を店頭などでディスプレイする場合に、内容物が収納された包装箱の上半分を取り除いて、内容物を包装箱に収納したままディスプレイすることができれば便利である。特許文献１には、段ボール製包装箱を上下に分割して、上箱部分を取り除く技術が記載されている。特許文献１の包装箱では、側板の高さ方向中間部に２本の平行なミシン目状カット線が形成されており、この２本の平行なミシン目状カット線間の帯片を切り破ることによって包装箱が下側部分と上側部分とに分割される。
【先行技術文献】
【特許文献】
【０００３】
【特許文献１】実用新案登録第３０２６３４０号公報
【発明の概要】
【発明が解決しようとする課題】
【０００４】
特許文献１の包装箱では、側板に形成した２本の平行なミシン目状カット線間に設けられた帯片を取り除いて包装箱の上側部分を取り除き、内容物を下側部分の包装箱に収容された状態でディスプレイする場合があるが、取り除いた帯片は廃棄しなければならない。
【０００５】
本発明の目的は、帯片を用いて包装箱の上側部分を切り離すことなく、包装箱の上側部分を形成する上箱を取り除いて、内容物を包装箱の下側部分を形成する底箱に収容された状態で容易にディスプレイすることができる包装体を提供することである。
【課題を解決するための手段】
【０００６】
この課題を解決するために請求項１の発明は、平面形状が矩形で上端が開口し内容物を受ける段ボール製底箱と、平面形状が矩形で下端が開口し前記底箱に被さって前記底箱を内包可能な段ボール製上箱とからなり、前記底箱は、２組の対向側板と、この対向側板の下端に連設される底板形成用フラップと、前記２組の対向側板のうち少なくとも１組の対向側板の上端に連設された舌片とを備え、前記上箱は、前記底箱の２組の対向側板の外面に重なる２組の対向側板と、この２組の対向側板の上端に連設される上蓋形成用フラップとを備え、前記舌片は前記底箱が前記上箱に内包された状態で前記対向側板から突出する長さであり、突出部分は折り曲げられ、１組の対向側板の上端に連設され先に折り曲げられる上蓋形成用フラップと、他の組の対向側板の上端に連設され後から折り曲げられる上蓋形成用フラップとの間で前記底箱の舌片を挟むように構成されて前記底箱は前記先に折り曲げられる上蓋形成用フラップで前記上箱に吊り下げられ、前記後から折り曲げられる上蓋形成用フラップの突き合わせ部を封緘手段で閉じるようにしたものである。
【０００７】
また請求項２の発明は、後から折り曲げられる上蓋形成用フラップには、舌片が先に折り曲げられる上蓋形成用フラップと後から折り曲げられる上蓋形成用フラップとの間に挟み込まれていることを確認するための開口窓が形成されるものである。
【０００８】
また請求項３の発明は、舌片を備える対向側板において、舌片を含む範囲で板部を切除するためのカット線が形成されるものである。
【発明の効果】
【０００９】
本発明によれば、帯片を用いて包装箱の上側部分を切り離すことなく、包装箱の上側部分を形成する上箱を取り除いて、内容物を包装箱の下側部分を形成する底箱に収容された状態で容易にディスプレイすることができる。また、作業者は、開口窓を通して、舌片が先に折り曲げられる上蓋形成用フラップと後から折り曲げられる上蓋形成用フラップとの間に挟み込まれていることを確認することができる。また、舌片を切り取った状態で内容物を展示して美観を向上させることができる。
【図面の簡単な説明】
【００１０】
【図１】本発明の第１の実施の形態に係る包装体の段ボール製底箱の展開図である。
【図２】同包装体の段ボール製上箱の展開図である。
【図３】同包装体の分解斜視図である。
【図４】同底箱に内容物を収納した状態を示す斜視図である。
【図５】同底箱に上箱を被せて上蓋形成用フラップを閉じる途中の状態を示す斜視図である。
【図６】同封緘された包装体を示す斜視図である。
【図７】図６のＸ−Ｘ断面図である。
【図８】本発明の第２の実施の形態に係る包装体の段ボール製底箱の展開図である。
【図９】同包装体の段ボール製上箱の展開図である。
【図１０】同包装体の分解斜視図である。
【図１１】同底箱に内容物を収納した状態を示す斜視図である。
【図１２】同底箱に上箱を被せて上蓋形成用フラップを閉じる途中の状態を示す斜視図である。
【図１３】同封緘された包装体を示す斜視図である。
【図１４】同底箱を使った内容物のディスプレイ状態を示す斜視図である。
【図１５】本発明の第３の実施の形態に係る包装体の段ボール製底箱の展開図である。
【図１６】同包装体の段ボール製上箱の展開図である。
【図１７】同包装体の分解斜視図である。
【図１８】同底箱に上箱を被せて上蓋形成用フラップを閉じる途中の状態を示す斜視図である。
【図１９】同封緘された包装体を示す斜視図である。
【発明を実施するための形態】
【００１１】
以下、本発明の第１の実施の形態について図１〜図７に基づいて説明する。段ボール製包装体１は、平面形状が長方形で上端が開口し内容物３３が収納される段ボール製底箱２と、平面形状が長方形で下端が開口し段ボール製底箱２に被さる段ボール製上箱３とを備える。段ボール製底箱２は、２組の対向側板４，５，６，７と、これら対向側板４，５，６，７の下端に連設される底蓋形成用フラップ８，９，１０，１１を備える。長辺側の側板４の遊端部には糊代片１２が連設されており、この糊代片１２が短辺側側板７の遊端部に接着されて角筒体を形成する。底蓋形成用フラップ８，９には、夫々角部近傍に折り曲げ線１３，１４が設けられており、この折り曲げ線１３，１４より外側角部に位置する底蓋形成用フラップ８ａ，９ａの内面に、底蓋形成用フラップ１０，１１が各々接着される。これによって折り畳み可能な底蓋が形成される。底蓋形成用フラップ１０，１１は底蓋形成用フラップ８ａ，９ａの内面に接着されているが、これに限定されるものではなく接着されていないものでもよい。
【００１２】
長辺側の対向側板４，５は、前方に向かうに従って高さが低くなるように形成され、後部上端には、舌片１５，１５が設けられる。舌片１５，１５によって底箱２は上箱３に係止され、底箱２が上箱３から抜け落ちることが防止される。舌片１５，１５は平板状に形成され、対向側板４，５の上端に設けられた折り曲げ線１６，１６によって内側に折り曲げ可能とされる。前後方向に位置する対向側板６，７のうち前側に位置する側板６は、対向側板４，５の前端部に合わされ低く形成され、中央部は上端が切り欠かれてさらに低く形成される。後側に位置する側板７は、対向側板４，５の折り曲げ線１６，１６の後部の高さに合わせて高く形成され、上端近傍の中央に長孔１７が形成されている。
【００１３】
一方、上箱３は、２組の対向側板２１，２２，２３，２４と、これらの対向側板２１，２２，２３，２４の上端に連設される上蓋形成用フラップ２５，２６，２７，２８とからなる。長辺側の側板２１の遊端部には糊代片２９が連設されており、この糊代片２９が短辺側の側板２４の遊端部内面に接着されて、下端が開口する角筒状が形成される。上箱３は、上箱３を底箱２に被せたとき、対向側板２１，２２，２３，２４の上端が、底箱２の対向側板４，５の最上端の位置に揃うように形成される。
【００１４】
上蓋形成用フラップ２７は、舌片１５，１５よりも先に閉じられる。上蓋形成用フラップ２８を閉じるとき、上蓋形成用フラップ２８が舌片１５，１５に接触することを防止するために、上蓋形成用フラップ２８は幅狭に形成されている。上蓋形成用フラップ２５，２６の後端近傍には開口窓３０，３０が設けられており、作業者は、開口窓３０，３０を通して、底箱２の舌片１５，１５が、上箱３の上蓋形成用フラップ２８と上蓋形成用フラップ２５，２６との間に挟み込まれていることを確認することができる。つまり、上蓋形成用フラップ２７，２８が折り曲げられた後に舌片１５，１５が折り曲げられ、舌片１５，１５を覆うように上蓋形成用フラップ２５，２６が折り曲げられる。そして、上蓋形成用フラップ２５，２６の突き合わせ部が封緘手段である封緘テープ３２で閉じられるものである。
【００１５】
このとき舌片１５，１５の外面を着色すると、一層確認し易くなる。なお、対向側板２３，２４には、幅方向の中央部であって上端近傍にＵ字状の押し込み片３１，３１が設けられており、上蓋形成用フラップ２５と２６との突き合わせ部に貼られた封緘テープ３２を剥がすときに、封緘テープ３２の端部に位置する押し込み片３１，３１を押し込んで、封緘テープ３２の端部を容易に掴むことができる。なお、底箱２の側板７に形成された長孔１７は、押し込み片３１，３１が側板７に当接することを防止するためのものである。
【００１６】
ここで内容物３３の梱包手順について説明する。内容物３３が収納された底箱２には上箱３が被せられる。上箱３は、上箱３の２組の対向側板２１，２２と２３，２４とが底箱２の２組の対向側板４，５と６，７との外面に重なるように被せられる。上箱３が底箱２に被せられたとき、底箱２の舌片１５，１５は、上箱３の対向側板２１，２２の内面に沿うように、対向側板２１，２２上端から突出する。この状態で上箱３の上蓋形成用フラップ２７，２８が閉じられる。
【００１７】
図５に示すように、上蓋形成用フラップ２７，２８が閉じられた後に、舌片１５，１５が上蓋形成用フラップ２８に重なるように内側に折り曲げられる。この状態で上蓋形成用フラップ２５，２６が閉じられる。上蓋形成用フラップ２５，２６が閉じられると、舌片１５，１５は、上箱３の上蓋形成用フラップ２８と上蓋形成用フラップ２５，２６との間に挟み込まれた状態となる。作業者は、図６に示すように上蓋形成用フラップ２５，２６を閉じた状態で、開口窓３０，３０を通して、舌片１５，１５が上蓋形成用フラップ２８と上蓋形成用フラップ２５，２６との間に挟み込まれていることを容易に確認することができる。
【００１８】
上蓋形成用フラップ２５，２６を閉じた後に、上蓋形成用フラップ２５と２６との突き合わせ部に封緘テープ３２が貼られて、上蓋形成用フラップ２５，２６が固定される。本実施の形態では、上蓋形成用フラップ２５，２６が封緘テープ３２を用いて固定されているが、これに限定されるものではなく、上蓋形成用フラップ２５，２６が、たとえばステープルを用いて固定されるものでも良い。舌片１５，１５が上蓋形成用フラップ２８と上蓋形成用フラップ２５，２６との間に挟み込まれているので、作業者が上箱３を持ち上げた場合に、底箱２が上箱３から不用意に抜け落ちることを防止することができる。また、底箱２の側板４，５，６，７の外面を覆うように上箱３の側板２１，２２，２３，２４が配置されるので、耐圧強度を向上させることができる。
【００１９】
次に、梱包した内容物３３を店頭などでディスプレイする手順について説明する。まず段ボール製包装体１の封緘テープ３２が剥がされる。このとき作業者は、封緘テープ３２の端部に位置するＵ字状の押し込み片３１，３１を押し込んで、封緘テープ３２の端部を容易に掴むことができる。封緘テープ３２が剥がされた後に、上箱３の上蓋形成用フラップ２５，２６が開けられ、内側に折り曲げられた舌片１５，１５が鉛直方向に折り返される。その後、上蓋形成用フラップ２７，２８が開けられて、上箱３を引き上げることができる。上箱３が引き上げられると、底箱２と上箱３とが分離され、底箱２に収納した内容物３３をこの状態でディスプレイすることができる。
【００２０】
底箱２の対向側板４，５は前方に向かうに従って高さが低くなるように形成されており、対向側板６は、対向側板４，５の前端部の高さに合わせて形成されているので、内容物３３を人目に付きやすい状態でディスプレイすることができる。作業者は、段ボール製包装体１の封緘テープ３２を剥がし、上箱３を引き上げるだけで、内容物３３を底箱２に収納したままディスプレイすることができる。
【００２１】
次に、本発明の第２の実施の形態について図８〜図１４に基づいて説明する。第１の実施の形態の説明と重複する部分については説明を省略し、同一の参照符を用いる。本実施の形態に係る段ボール製包装体３６において、底箱３７の対向側板４，５の上端には前端部と後端部とに舌片４１，４１，１５，１５が設けられる。対向側板４，５の前端部に設けられる舌片４１，４１は、後端部に設けられる舌片１５，１５と同様に平板状に形成され、対向側板４，５の上端に連設された脚板４４，４４の上端に設けられる。舌片４１，４１は、折り曲げ線４２，４２によって内側に折り曲げ可能とされる。なお、対向側板４，５と脚板４４，４４との接続部にはカット線４５が設けられており、内容物３３をディスプレイするときには、舌片４１，４１が脚板４４，４４とともに取り除かれる。
【００２２】
上箱３の上蓋形成用フラップ２７，２８を閉じるときに、上蓋形成用フラップ２７，２８が底箱３７の舌片４１，４１，１５，１５に接触することを防止するために、上蓋形成用フラップ２７，２８は幅狭に形成される。さらに上蓋形成用フラップ２５，２６の前部および後部には、確認窓４３，４３，３０，３０が設けられる。
【００２３】
舌片４１，４１，１５，１５が対向側板４，５の前端部と後端部との両方に設けられるので、底箱３７が上箱３から不用意に抜け落ちることをより確実に防止することができる。
【００２４】
さらに、本発明の第３の実施の形態について図１５〜図１９に基づいて説明する。本発明の第１の実施の形態または第２の実施の形態の説明と重複する部分については説明を省略し、同一の参照符を用いる。本実施の形態に係る段ボール製包装体５０においては、底箱５１の舌片５３，５４は、前方および後方に位置する対向側板６，７に設けられる。上箱５２の短辺側に位置する上蓋形成用フラップ２７，２８には、舌片５３，５４が挿通するスリット５５，５６が形成されるとともに、長辺側の一方の上蓋形成用フラップ２６の両端に開口窓５７，５８が設けられる。
【００２５】
なお、前端側の側板６に設けられる舌片５３は、側板６に連設された脚板５９の上端に設けられる。側板６と脚板５９との接続部にはカット線６０が形成されており、内容物３３をディスプレイするときには、カット線６０を用いて舌片５３が脚板５９とともに取り除かれる。
【００２６】
内容物３３を梱包する場合には、底箱５１に内容物３３を収納した後に上箱５２を被せるが、このとき上蓋形成用フラップ２７，２８が閉じられた状態で、舌片５３，５４をスリット５５，５６に挿通させる。スリット５５，５６の下方から上方に向かって挿通された舌片５３，５４は、図１８に示すように内側に折り曲げられる。上蓋形成用フラップ２５，２６を閉じた後、上蓋形成用フラップ２６に設けられた開口窓５７，５８によって、舌片５３，５４が、上蓋形成用フラップ２７，２８と上蓋形成用フラップ２５，２６との間に挟み込まれていることを確認することができる。
【００２７】
本実施の形態では、開口窓５７，５８を上蓋形成用フラップ２６に設けているが、これに限定されるものではなく、上蓋形成用フラップ２５に設けることもできる。開口窓５７，５８は、封緘テープ３２が貼られる位置を避けて設けられる。内容物３３をディスプレイする場合には、前端側に設けられた脚板５９および舌片５３がカット線６０で切り取られるとともに、対向側板４，５には舌片５３，５４が設けられていないので、内容物３３が人目に付きやすく、すっきりとした外観で美観に優れたディスプレイをすることができる。
【００２８】
このように、平面形状が矩形で上端が開口し内容物３３を受ける段ボール製底箱である底箱２と、平面形状が矩形で下端が開口し底箱２に被さる段ボール製上箱である上箱３とからなり、底箱２は、２組の対向側板４，５および６，７と、この対向側板４，５および６，７の下端に連設される底板形成用フラップ８，９および１０，１１と、２組の対向側板４，５および６，７のうち少なくとも１組の対向側板の上端に連設された舌片１５，１５とを備え、上箱３は、底箱２の２組の対向側板４，５および６，７の外面に重なる２組の対向側板２１，２２および２３，２４と、この２組の対向側板２１，２２および２３，２４の上端に連設される上蓋形成用フラップ２５，２６および２７，２８とを備え、１組の対向側板２３，２４の上端に連設され先に折り曲げられる上蓋形成用フラップ２７，２８と、他の組の対向側板２１，２２の上端に連設され後から折り曲げられる上蓋形成用フラップ２５，２６との間で底箱２の舌片１５，１５を挟むように構成し、後から折り曲げられる上蓋形成用フラップ２５，２６の突き合わせ部を封緘テープ３２で閉じるようにしたので、帯片を用いて包装箱の上側部分を切り離すことなく、包装箱の上側部分を形成する上箱を取り除いて、内容物を包装箱の下側部分を形成する底箱に収容された状態で容易にディスプレイすることができる。
【００２９】
さらに、後から折り曲げられる上蓋形成用フラップ２５，２６には、舌片１５，１５が先に折り曲げられる上蓋形成用フラップ２７，２８と後から折り曲げられる上蓋形成用フラップ２５，２６との間に挟み込まれていることを確認するための開口窓３０，３０が形成されるので、作業者は、開口窓３０，３０を通して、底箱２の舌片１５，１５が、上箱３の上蓋形成用フラップ２８と上蓋形成用フラップ２５，２６との間に挟み込まれていることを確認することができる。
【００３０】
さらに、舌片４１，４１を備える対向側板４，５において、舌片４１，４１を含む範囲で板部を切除するためのカット線４５，４５が形成されているので、舌片４１，４１を切り取った状態で内容物３３をディスプレイすることができ美観を向上させることができる。
【符号の説明】
【００３１】
１，３６，５０    段ボール製包装体
２，３７，５１    底箱
３，５２    上箱
４，５，６，７，２１，２２，２３，２４    側板
８，８ａ，９，９ａ，１０，１１    底蓋形成用フラップ
１２，２９    糊代片
１３，１４，１６，４２    折り曲げ線
１５，４１，５３，５４    舌片
１７    長孔
２５，２６，２７，２８    上蓋形成用フラップ
３０，４３，５７，５８    開口窓
３１    押し込み片
３２    封緘テープ
３３    内容物
４４，５９    脚板
４５，６０    カット線
５５，５６    スリット
【図１】
0005743628.tif 000002
【図２】
0005743628.tif 000003
【図３】
0005743628.tif 000004
【図４】
0005743628.tif 000005
【図５】
0005743628.tif 000006
【図６】
0005743628.tif 000007
【図７】
0005743628.tif 000008
【図８】
0005743628.tif 000009
【図９】
0005743628.tif 000010
【図１０】
0005743628.tif 000011
【図１１】
0005743628.tif 000012
【図１２】
0005743628.tif 000013
【図１３】
0005743628.tif 000014
【図１４】
0005743628.tif 000015
【図１５】
0005743628.tif 000016
【図１６】
0005743628.tif 000017
【図１７】
0005743628.tif 000018
【図１８】
0005743628.tif 000019
【図１９】
0005743628.tif 000020